(57)【要約】      （修正有）【課題】建物の外壁に直接、又は取り付けパネルに簡単に取り付けられ、交換も可能にする表示具取付け構造を提供する。【解決手段】取付けプレート本体４は、表示具１を取付けるための正面板の上辺と、下辺を背面側に折り曲げ、上辺には、下方へ突出する突起２を設け、下辺には、ネジ穴を形成し、前記壁面用支持プレート６は、取付け面に取付けるための背面板の上辺と下辺を、正面側に折り曲げ、上辺には、前記、取付けプレート本体の突起の挿入するための支持孔を形成し下辺には取付け用ネジ９を通すための透孔が形成され、前記取付けプレート本体４と、壁面用支持プレート６を、取付けネジ９により固定する。【選択図】図４
2008191534.tif 000002
【特許請求の範囲】
【請求項１】
表示具の裏面に取付ける取付けプレート本体と、壁面等の取付け面に取付ける前記取付けプレート本体を支持する壁面用支持プレートとから構成された表示具取付構造であって、前記取付けプレート本体は、表示具を取付けるための正面板の上辺、下辺を背面側に折り曲げ、上辺には、下方へ突出する突起を設け、下辺には、ネジ穴を形成し、前記壁面用支持プレートは、取付け面に取付けるための背面板の上辺と下辺を、正面側に折り曲げ、上辺には、前記、取付けプレート本体の突起の挿入するための支持孔を形成し下辺には取付用ネジを通すための透孔が形成され、前記取付けプレート本体と、壁面用支持プレートを、取付けネジにより固定することを特徴とする表示具取付け構造。
【請求項２】
マンション等の建物の外壁に装着した取付けパネルにはめ込むネームプレートをスペーサ
ーを介して、壁面用支持プレートに取り付けた請求項１に記載の表示具取付け構造。
【発明の詳細な説明】
【技術分野】
【０００１】
本発明は、表札、部屋名板等の表示具を取付ける取付け構造に関し、例えば一戸建て玄関周りの外壁や建物の屋内の壁や、マンション等の建物における玄関周りの外壁に装着されたパネルに表札等を取付けるための表示具取付け構造に関するものである。
【背景技術】
【０００２】
従来の一戸建て住宅やマンションでは、入り口近傍の壁面にネームプレートが固定されて取り付けられている。取り付けは、セメント、接着剤、接着テープ等でなされる。ボルトによって固定がなされる場合もある。ネームプレートには、居住者の氏名等が表示される。
【特許文献１】特開平８−２９９１５３号公報
【発明の開示】
【発明が解決しようとする課題】
【０００３】
引っ越し等によって居住者が変わったときは、ネームプレートを取り外すことが必要であるが取り外しには手間が掛かる上、取り付け時の接着剤やボルトの穴が残ることがある。
【０００４】
従来のネームプレートでは、取り外しや交換には困難を伴う。同じ使用者でも、二世帯
による同居によりネームプレートを変更したい場合や新たに飼ったペットの名前を表示したい等の場合がある。ネームプレートの変更時に起こる同様の問題は、看板、掲示板等の表示具においても見られる。
【０００５】
本発明はこのような問題点を解決する為に、建物の屋内外の壁面に簡単且つ正確に取付けることが出来るネームプレート等の表示具取付け構造を提供するにある。
【課題を解決するための手段】
【０００６】
上記目的を達成するために、本発明の表示具取付け構造は、請求項１に記載したように
表示具の裏面に取付ける取付けプレート本体と、壁面等の取付け面に取付ける前記取付けプレート本体を支持する壁面用支持プレートとから構成された表示具取付け構造であって、前記取付けプレート本体は、表示具を取付けるための正面板の上辺と、下辺を背面側に折り曲げ、上辺には、下方へ突出する突起を設け、下辺には、ネジ穴を形成し、前記壁面用支持プレートは、取付け面に取付けるための背面板の上辺と下辺を、正面側に折り曲げ、上辺には、前記、取付けプレート本体の突起の挿入するための支持孔を形成し下辺には取付け用ネジを通すための透孔が形成され、前記取付けプレート本体と、壁面用支持プレートを、取付けネジにより固定する。
【０００７】
また本発明の表示具取付け構造はマンション等の建物の外壁に装着した取付けパネルにはめ込むネームプレートをスペーサーを介して、壁面用支持プレートに取り付けている。
【発明の効果】
【０００８】
本発明は前記構成により、取付けプレート本体を壁面用支持プレートに重ね合わせて下部よりねじにて取り付ける構造により、表示具を簡単に取り付けることが可能になる。
【０００９】
また、本発明は前記構成により、交換可能なネームプレートにより、社名や掲示内容の  
変更にすばやく対応することができる。
【発明を実施するための最良の形態】
【００１０】
以下に図面を用いて実施の形態について説明する。本発明の表示具取付け構造は表示具
例えばネームプレート、銘板等の裏面に取付けるための取付けプレート本体４と、壁面等
に取付け前記取付けプレート本体４を支持する壁面用支持プレート６とから構成されてい
る。
【００１１】
前記取付けプレート本体４は、上下の辺を裏面側に直角に折り曲げた金属製のプレートであって、プレートの上の辺には、前記壁面用支持プレート６の辺に開けられた支持孔７ａ，７ｂにはめ込む為の突起２が２ヵ所に設けられている。
【００１２】
さらに前記取付けプレート本体４の下辺の中央には取付け用ネジ９をねじ込むためのネ
ジ穴３が形成されている。
【００１３】
さらに、前記取付けプレート本体４の正面側に位置する正面板４Ａには、この取付けプ
レート本体を表示具にネジ止めするための取付け穴４ａ，４ｂが中央、上下方向の２ヶ所
に設けられている。さらに、左右方向に釘穴１０ａ、１０ｂが２ヶ所設けられている。
【００１４】
前記壁面用支持プレート６は、上下に、前記取り付けプレート本体４の上下辺と同一間隔に折り曲げられた上下辺が設けられている。前記のように上辺には突起２をはめ込むための支持孔７ａ、７ｂが設けられている。さらに下辺中央部には、取り付け用ネジ９を挿通させるための透孔８が設けられている。支持プレート６の背面板６Ａには壁面にこの支持プレート６を取り付けるためのネジ穴１１ａ，１１ｂが中央部上下に形成されている。さらに背面板６Ａの中央左右には、釘穴１１ｃ、１１ｄが形成されている。
【００１５】
前記取付けプレート本体４の上辺に設けられた突起２は、通常のネジであってもよく、上辺の下面から下方へ支持孔７ａ，７ｂに至るに十分な長さを有する。
【００１６】
前記、取付けプレート本体４と、壁面用支持プレート６とを締結する取付け用ネジ９の頭部は、円筒形状をしており、ドライバの先端部が挿入できる内径を有している。この円筒形状の頭部の内底部にはドライバの先端部が嵌まり込むプラス又はマイナスのネジ溝が形成されている。
【００１７】
次に前記構成の組立手順について説明する。取付けプレート本体４を表示具１、例えばネームプレート１、銘板等の背面に、ネジ又は釘を用いて取り付ける。その際、取付け穴４ａ，４ｂ又は釘穴１０ａ，１０ｂにネジ又は釘を挿通して表示具１に固定する。ネジ又は釘以外に正面板４Ａに接着剤を塗布して取付けプレート本体４を表示具に接着してもよい。
【００１８】
さらに、壁面用支持プレート６のネジ穴１１ａ，１１ｂ又は釘穴１１ｃ、１１ｄにネジ又は釘を挿通して、壁面１２に前記支持プレート６を固定する。前記のようにして壁面１２に固定した壁面用支持プレート６の、支持孔７ａ，７ｂに、前記表示具に取り付けた取付けプレート本体４の突起２を嵌め込んで、仮固定する。
【００１９】
前記のようにして、壁面用支持プレート６に取付けプレート本体４を仮固定した後、表示具１の下方から取付け用ネジ９を、壁面用支持プレート６の透孔８を通して取付けプレート本体４のネジ穴３にねじ込む。以上のようにして壁面に表示具が取り付けられるので表示具の取付けが極めて簡単で、なおかつ壁面を傷つけることなく交換が簡単に行なうことが可能である。
【００２０】
次に実施の形態２について説明する。図５は、マンション等の既存のネームプレート取付け金具に、本体の表示具取付け構造を取り付けるための構成を示す斜視図である。図面において、壁面用支持プレート６の背面板６Ａの裏面に樹脂等で作成されたスペーサー１４が接着剤又は両面テープ等で取り付けられている。
【００２１】
スペーサー１４のさらに裏面には、既存のネームプレート１５が接着されている。このネームプレートは、マンション等の扉の表面に設けられた取付け金具に差し込まれて使用されるものである。
【００２２】
前記のような第２の実施の形態の取付け方法は、前記のような構成の表示具取付け構造のネームプレートをマンション等の扉の取付け金具に嵌め込み、取付けプレート本体４を前記壁面用支持プレート６に取付ければよい。
【００２３】
以上のように、表示具１は、ネームプレート又は銘板の取付けに用いた例を示したが、かかる用途に限定されるものではなくその他の壁面を装飾する花柄などの意匠を表示したプレート等に用いることが可能です。
【産業上の利用可能性】
【００２４】
本発明に係る表示具取付け構造は、表札のみならず、看板、掲示板等としても用いられうる。
【図面の簡単な説明】
【００２５】
【図１】ネームプレートを取付けた取付けプレート本体の斜視図
【図２】図１の断面図
【図３】壁面用支持プレートの斜視図
【図４】表示具取付け構造の断面図
【図５】第２の実施の形態の壁面用プレートの斜視図
【符号の説明】
【００２６】
１      ネームプレート本体
２      突起物  
３      ネジ穴
４      取付けプレート本体
４Ａ    取付けプレート本体４の正面側に位置する正面板
４ａ    取付け穴
４ｂ    取付け穴
６      壁面用支持プレート
６Ａ    壁面用支持プレート６の背面板
７ａ    支持孔
７ｂ    支持孔
８      透孔
９      取付け用ネジ
１０ａ  釘穴
１０ｂ  釘穴
１１ａ  ネジ穴
１１ｂ  ネジ穴
１１ｃ  釘穴
１１ｄ  釘穴
１２    壁面
１４    スペーサー
１５    既存のネームプレート
【図１】
2008191534.tif 000003
【図２】
2008191534.tif 000004
【図３】
2008191534.tif 000005
【図４】
2008191534.tif 000006
【図５】
2008191534.tif 000007
【手続補正書】
【提出日】平成20年4月11日(2008.4.11)
【手続補正２】
【補正対象書類名】特許請求の範囲
【補正対象項目名】請求項１
【補正方法】変更
【補正の内容】
【請求項１】
表示具の裏面に取付ける取付けプレート本体と、壁面等の取付け面に取付ける前記取付けプレート本体を支持する壁面用支持プレートとから構成された表示具取付構造であって、前記取付けプレート本体は、表示具を取付けるための正面板の上辺、下辺を背面側に折り曲げ、前記壁面用支持プレートは、取付け面に取付けるための背面板の上辺と下辺を、正面側に折り曲げ、前記取付けプレート本体と、壁面用支持プレートを、取付けネジにより固定することを特徴とする表示具取付け構造。
【手続補正３】
【補正対象書類名】明細書
【補正対象項目名】０００６
【補正方法】変更
【補正の内容】
【０００６】
上記目的を達成するために、本発明の表示具取付け構造は、請求項１に記載したように
表示具の裏面に取付ける取付けプレート本体と、壁面等の取付け面に取付ける前記取付けプレート本体を支持する壁面用支持プレートとから構成された表示具取付け構造であって、前記取付けプレート本体は、表示具を取付けるための正面板の上辺と、下辺を背面側に折り曲げ、前記壁面用支持プレートは、取付け面に取付けるための背面板の上辺と下辺を、正面側に折り曲げ、前記取付けプレート本体と、壁面用支持プレートを、取付けネジにより固定する。